(57)【要約】【課題】録音開始操作を行ってから実際に録音処理が行われるまでの状態を操作者に報知できる録音装置を提供できるようにする。【解決手段】外部から入力される楽音信号を光ディスクに記録する記録手段と、前記記録手段に記録動作を開始させるようにする録音開始操作手段と、前記録音開始操作手段が操作されてから、前記記録手段が前記光ディスクに録音を開始するまでの間に任意の長さのタイムラグを設定するタイムラグ設定手段と、前記タイムラグ設定手段により設定されたタイムラグの長さを表示するタイムラグ表示手段とを設け、録音開始操作を行ってから所定の時間が経過してから実際の録音処理が行われるようにする。【選択図】図１
2007328836.tif 000002
【特許請求の範囲】
【請求項１】
外部から入力される楽音信号を光ディスクに記録する記録手段と、
前記記録手段に記録動作を開始させるようにする録音開始操作手段と、
前記録音開始操作手段が操作されてから、前記記録手段が前記光ディスクに録音を開始するまでの間に任意の長さのタイムラグを設定するタイムラグ設定手段と、
前記タイムラグ設定手段により設定されたタイムラグの長さを表示するタイムラグ表示手段とを有することを特徴とする録音装置。
【請求項２】
前記タイムラグ表示手段は、前記タイムラグ設定手段により設定されたタイムラグの長さを液晶表示パネルに数値で表示することを特徴とする請求項１に記載の録音装置。
【請求項３】
前記タイムラグ表示手段は、前記タイムラグ設定手段により設定されたタイムラグの長さを発光ダイオード表示部に配設された発光ダイオードの点灯個数で表示することを特徴とする請求項１に記載の録音装置。
【請求項４】
外部から入力される楽音信号を光ディスクに記録する記録工程と、
前記光ディスクに記録動作を開始させるようにする録音開始操作工程と、
前記録音開始操作工程において録音開始操作が行なわれてから、前記光ディスクに録音を実際に開始するまでの間に任意の長さのタイムラグを設定するタイムラグ設定工程と、
前記タイムラグ設定工程において設定されたタイムラグの長さを表示装置に表示するタイムラグ表示工程とを有することを特徴とする録音方法。
【請求項５】
前記タイムラグ表示工程においては、前記タイムラグ設定工程において設定されたタイムラグの長さを液晶表示パネルに数値で表示することを特徴とする請求項４に記載の録音方法。
【請求項６】
前記タイムラグ表示工程においては、前記タイムラグ設定工程において設定されたタイムラグの長さを発光ダイオード表示部に配設された発光ダイオードの点灯個数で表示することを特徴とする請求項４に記載の録音方法。
【発明の詳細な説明】
【技術分野】
【０００１】
本発明は録音装置及び録音方法に関し、特に、楽器を演奏する演奏者が用いて好適な録音装置に関する。
【背景技術】
【０００２】
従来、楽器を演奏中に録音装置を用いて楽音を記録することが行われている。楽器演奏を行っているときに録音するための録音装置としては種々の録音装置を用いることができる。
【０００３】
ところで、楽器演奏者が自ら演奏する楽音を録音する場合には、録音開始タイミングを演奏開始タイミングに合わせるためには、録音装置の録音開始操作を楽器演奏の開始と同時に行う必要がある。このような操作を行うことは実際には不可能であるので、録音開始操作を行ってから所定の時間が経過してから実際の録音処理が行われるようにする必要がある。
【０００４】
前述したように、録音開始操作を行ってから所定の時間が経過してから実際の録音処理が行われるようにした「音声信号記録装置」が特許文献１に記載されている。前記「音声信号記録装置」においては、マイクロホーンからの音声信号を記録媒体に記録する記録手段と、録音の開始を指示するための第１の押しボタンスイッチと、第１の押しボタンスイッチからの信号に基づいて、第１の押しボタンスイッチが押された後、所定時間経過してからマイクロホーンからの音声信号が記録媒体に記録されるように記録手段を制御する制御手段とを配設している。
【０００５】
このように構成することにより、この音声信号記録装置では、制御手段により第１の押しボタンスイッチが押された後、所定時間経過してからマイクロホーンからの音声信号が記録媒体に記録されるように制御されていることから、第１の押しボタンスイッチを押した際に発生するクリック音が記録媒体に記録されることが防止されるようにしている。
【０００６】
【特許文献１】特開平１０−９１１９７号公報
【発明の開示】
【発明が解決しようとする課題】
【０００７】
しかしながら、前記特許文献１に記載の音声信号記録装置の場合には、録音開始操作を行ってから所定の時間が経過してから実際の録音処理が行われるまでの時間が極短い時間に固定されていた。
【０００８】
このため、例えばグランドピアノを演奏する演奏者が前記特許文献１に記載の音声信号記録装置を利用する場合、録音開始操作を行ってから演奏を開始するまでの時間が短すぎる問題点があった。
【０００９】
この問題点を解決するためには、録音開始操作を行ってから実際の録音処理が行われるまでの時間を長くすることが考えられる。しかしながら、録音開始操作を行ってから実際の録音処理が行われるまでの時間を単純に長くしただけでは、録音開始タイミングと演奏開始タイミングとを合わせることが困難である問題点があった。
本発明は前述の問題点にかんがみ、録音開始操作を行ってから実際に録音処理が行われるまでの状態を操作者に報知可能な録音装置を提供できるようにすることを目的としている。
【課題を解決するための手段】
【００１０】
本発明の録音装置は、外部から入力される楽音信号を光ディスクに記録する記録手段と、前記記録手段に記録動作を開始させるようにする録音開始操作手段と、前記録音開始操作手段が操作されてから、前記記録手段が前記光ディスクに録音を開始するまでの間に任意の長さのタイムラグを設定するタイムラグ設定手段と、前記タイムラグ設定手段により設定されたタイムラグの長さを表示するタイムラグ表示手段とを有することを特徴とする。
また、本発明の録音装置の他の特徴とするところは、前記タイムラグ表示手段は、前記タイムラグ設定手段により設定されたタイムラグの長さを液晶表示パネルに数値で表示することを特徴とする。
また、本発明の録音装置のその他の特徴とするところは、前記タイムラグ表示手段は、前記タイムラグ設定手段により設定されたタイムラグの長さを発光ダイオード表示部に配設された発光ダイオードの点灯個数で表示することを特徴とする。
【００１１】
本発明の録音方法は、外部から入力される楽音信号を光ディスクに記録する記録工程と、前記光ディスクに記録動作を開始させるようにする録音開始操作工程と、前記録音開始操作工程において録音開始操作が行なわれてから、前記光ディスクに録音を実際に開始するまでの間に任意の長さのタイムラグを設定するタイムラグ設定工程と、前記タイムラグ設定工程において設定されたタイムラグの長さを表示装置に表示するタイムラグ表示工程とを有することを特徴とする。
また、本発明の録音方法の他の特徴とするところは、前記タイムラグ表示工程においては、前記タイムラグ設定工程において設定されたタイムラグの長さを液晶表示パネルに数値で表示することを特徴とする。
また、本発明の録音方法のその他の特徴とするところは、前記タイムラグ表示工程においては、前記タイムラグ設定工程において設定されたタイムラグの長さを発光ダイオード表示部に配設された発光ダイオードの点灯個数で表示することを特徴とする。
【発明の効果】
【００１２】
本発明によれば、外部から入力される楽音信号を光ディスクに記録する記録手段と、前記記録手段に記録動作を開始させるようにする録音開始操作手段と、前記録音開始操作手段が操作されてから、前記記録手段が前記光ディスクに録音を開始するまでの間に任意の長さのタイムラグを設定するタイムラグ設定手段と、前記タイムラグ設定手段により設定されたタイムラグの長さを表示するタイムラグ表示手段とを設けたので、録音開始操作を行ってから所定の時間が経過してから実際の録音処理が行われるようにすることができるとともに、実際に録音が開始されるまでの長さを操作者が認識することができる。これにより、操作者は録音が開始されるタイミングに合わせて録音対象音を発生させることが可能となり、例えば、楽器演奏において休符から始まる楽音を良好に録音することができる。
【発明を実施するための最良の形態】
【００１３】
（第１の実施形態）
以下、本発明の録音装置の実施形態を説明する。
図１に示したように、本実施形態の録音装置１はコンパクトなキュービック形状に形成されており、グランドピアノの譜面台側板に置いて使い易いよう成されている。そして、操作パネルとＣＤトレイが前面に配置されていて、ピアノ１００（図２参照）の椅子に座ったままでも簡単に操作できるようになされている。また、表示部４０が操作パネル面に配設されており、本実施形態の録音装置１の操作状態をピアノ１００の演奏者が直ぐに分かるようになされている。
【００１４】
図３のブロック図に示したように、本実施形態の録音装置１はマイクロホーン１１によって生成された音声信号を音声データに変換してＣＤ（Compact Disc）９ａに記憶する記録部１０と、前記ＣＤ９ａに記憶されている音声データを読み出し、音声信号に変換してスピーカ２４を駆動する再生部２０と、記録部１０等を制御する制御部３０と、動作状態や操作手順を表示するための表示部４０と、制御部３０等に電力を供給する電源部５０と、利用者が各種の操作を行うための操作部６０とを備えている。
【００１５】
記録部１０は、前述の図１に示すように、マイクロホーン１１からの音声信号を増幅する増幅器１２と、増幅器１２で増幅された音声信号のレベルを適切なレベルとする自動利得制御回路（以下、ＡＧＣ：Automatic Gain Controllerという。）１３と、ＡＧＣ１３からの音声信号を音声データに変換するエンコーダ１４と、エンコーダ１４からの音声データを遅延するバッファメモリ１５とを備えている。
【００１６】
マイクロホーン１１は、入力される音声を音声信号に変換して増幅器１２に供給し、増幅器１２は、音声信号を増幅してＡＧＣ１３に供給する。ＡＧＣ１３は、増幅器１２で増幅された音声信号を、そのレベルが適切なレベルとなるように増幅してエンコーダ１４に供給する。
【００１７】
エンコーダ１４は、音声信号が時間的に相関が強いことから、例えば適応型差分パルスコードモジュレーション（以下、ＡＤＰＣＭ：Adaptive Differential Pulse Code Modulation という。）により、少ないデータ量で音声信号を符号化して音声データを生成し、この音声データをバッファメモリ１５に供給する。
【００１８】
バッファメモリ１５は、後述するように所定の遅延時間に相当する容量を有し、エンコーダ１４から供給される音声データを所定時間遅延してピックアップ９に供給する。ピックアップ９は供給された音声データをＣＤ９ａに記録する。ＣＤ９ａは、樹脂製の円盤に細かい凹凸を刻んでデータを記録するメディアであり、光ディスクの一種である。
【００１９】
一方、再生部２０は、ＣＤ９ａから読み出された音声データを音声信号に変換するデコーダ２１及びフィルタ２２と、フィルタ２２からの音声信号を増幅してスピーカ２４に供給する増幅器２３とを備えている。
【００２０】
デコーダ２１は、記録部１０のエンコーダ１４に対応したものであり、ピックアップ９によりＣＤ９ａから読み出された音声データ、すなわちＡＤＰＣＭ方式で符号化された音声データを復号化して、いわゆるＰＡＭ信号を生成し、フィルタ２２は、このＰＡＭ信号から音声帯域以上の高周波成分を除去して、音声信号を出力する。増幅器２３は、デコーダ２１から供給される音声信号を増幅してスピーカ２４を駆動する。かくして、録音された音がスピーカ２４から出力される。
【００２１】
制御部３０は、この録音装置１の全体動作を制御するためのプログラムが記憶されているＲＯＭ３１と、ＲＯＭ３１に記憶されているプログラムを実行して、ピックアップ９や記録部１０を制御するマイクロコンピュータ（以下、ＣＰＵという）３２と、時刻を計数するタイマ３３と、時刻やプログラムの実行結果等を一時的に記憶するランダム・アクセス・メモリ（以下、ＲＡＭ：Random Access Memoryという。）３４とを備えている。
【００２２】
この制御部３０には、操作部６０に設けられている各種押しボタン６１からの信号が供給されており、ＣＰＵ３２は、押しボタン６１が押されると、その押しボタン６１に対応したプログラムをＲＯＭ３１から読み出して実行し、各部を制御する。
【００２３】
例えば後述する録音開始ボタン６１ｋが押されると、ＣＰＵ３２は、録音に対応したプログラムをＲＯＭ３１から読み出して実行し、増幅器１２、ＡＧＣ１３、エンコーダ１４等を動作させ、バッハメモリ１５で所定時間遅延された音声データを、ＣＤ９ａの例えば空いている領域に音声データを記憶する制御を行う。
【００２４】
すなわち、制御部３０は、ＣＤ９ａに対する音声データの書込及び読出を制御しており、音声データを９９件、それぞれを識別するインデックス番号を付けて書き込む制御を行い、また、インデックス番号に基づいて音声データを読み出す制御を行う。
【００２５】
また、ＣＰＵ３２には、タイマ等を動作させるための水晶発振器３５が接続され、例えば、ＣＤ９ａに記録されている音声データを所定時刻に読み出すことができる。また、この制御部３０には、表示部４０が接続されており、ＣＰＵ３２は、この録音装置１の動作状態や操作手順を表示部４０に表示することができる。すなわち、表示部４０は、低消費電力の液晶表示パネル４１と、この液晶表示パネル４１を照明するためのバックライト４２とを備え、例えば操作部６０のメニュー／送りボタン６１ａが押されると、ＣＰＵ３２は、表示部４０に日付、時刻を順に表示することができる。
【００２６】
また、本実施形態の録音装置１は、前述した液晶表示パネル４１とは別に発光ダイオード表示部４５を配設している。本実施形態においては、１２個の発光ダイオード４５ａを配設した例を示している。
【００２７】
ここで、操作部６０の詳細について、図１及び図３を用いて説明する。
本実施形態の録音装置１の外装筐体には、操作部６０を構成する押しボタン６１が配設されている。この操作部６０を構成する押しボタン６１は、図３においては、代表例として、選曲押しボタン６１ａ、早送り押しボタン６１ｂ、早戻し押しボタン６１ｃ、録音押しボタン６１ｄ、再生押しボタン６１ｅ、停止押しボタン６１ｆ、リピート再生押しボタン６１ｇ、ＣＤ再生ピッチ調整押しボタン６１ｈ、録音開始タイマ押しボタン６１ｉ、ファイナライズ押しボタン６１ｊ、アンファイナライズ（ＣＤ-RW）押しボタン６１ｋ等を図示している。また、この外装筐体には、その主面部に前述したマイクロホーン１１の接続端子（図示せず）、液晶表示パネル４１、スピーカ２４の接続端子等が配設されている。
【００２８】
前述のように構成された本実施形態の録音装置１は、図２の斜視図に示すように、例えば、ピアノ１００の譜面台側板に置いて使用する。そして、ピアノ１００の共鳴板１４０の振動音をマイクロホーン１１で録音する。この際に、録音押しボタン６１ｄを押して録音開始操作を行ってから所定の時間が経過してから実際の録音処理が行われるようにするために、以下のフローチャートで説明する処理が行われるように構成している。
【００２９】
先ず、図４のフローチャートを参照しながらメイン処理について説明する。
メインスイッチがＯＮされると、ステップＳ４１において初期化処理が行われる。この処理は、メモリ上の記録内容を消去し、使い始めの状態に戻すことであり、「イニシャライズ」と呼ばれている処理である。
【００３０】
初期化処理が終了すると、次に、ステップＳ４２に進み、イベントが発生したか否かを判断する。この判断の結果、イベントが発生している場合にはステップＳ４３に進み、発生したイベントを処理し、その後、ステップＳ４４に進んでその他の処理を行う。また、ステップＳ４２の判断の結果、イベントが発生していなければステップＳ４３の処理を行わずにステップＳ４４にジャンプしてその他の処理を行う。
【００３１】
次に、ステップＳ４３で行われるイベント処理の一例について、図５のフローチャートを参照しながら説明する。
イベント処理が開始されると、先ず、ステップＳ５１において、レコードボタン（Ｒｅｃ）が操作されたか否かを判断する。この判断の結果、レコードボタン（Ｒｅｃ）が操作された場合にはステップＳ５２に進み、レコード待機状態とする。
【００３２】
一方、ステップＳ５１の判断の結果、レコードボタン（Ｒｅｃ）が操作されていない場合にはステップＳ５３に進み、レコード待機状態のときにプレイボタン（Ｐｌａｙ）が操作されたか否かを判断する。この判断の結果、プレイボタン（Ｐｌａｙ）が操作された場合にはステップＳ５４に進み、プレイスイッチ処理を実行する。
【００３３】
一方、ステップＳ５３の判断の結果、レコード待機状態のときにプレイボタン（Ｐｌａｙ）が操作されていない場合にはステップＳ５５に進み、その他の処理を実行し、その後メインルーチンにリターンする。
【００３４】
次に、ステップＳ５４で行われるプレイスイッチ処理の一例を、図６のフローチャートを参照しながら説明する。
プレイスイッチ処理が開始されると、先ず、ステップＳ６１において、録音開始タイマの設定状態を判断する。この判断の結果、「タイマ値＝０」であった場合にはステップＳ６２に進んで録音開始処理を実行する。また、ステップＳ６１の判断の結果、「タイマ値≠０」であった場合にはステップＳ６３に進んでカウントダウン処理を実行する。
【００３５】
図７は、録音開始タイマカウント処理の一例を説明するフローチャートである。
図７に示したように、処理が開始されると、最初のステップＳ７１においてカウントダウンフラグの状態を判断する。
【００３６】
この判断の結果、「カウントダウンフラグ＝０」であった場合にはそのまま処理を終了する。また、ステップＳ７１の判断の結果、「カウントダウンフラグ≠０」であった場合にはステップＳ７２に進んで「カウントタイマの値」をインクリメントする。
【００３７】
次に、ステップＳ７３に進み、カウントダウンが終了したか否かを判断する。この判断の結果、終了した場合にはステップＳ７４に進み、「録音開始処理」を行う。その後、ステップＳ７５に進んで「カウントダウンフラグ」をクリアして処理を終了する。
【００３８】
ステップＳ７３の判断の結果、カウントダウンが終了していない場合にはステップＳ７６に進んで「１秒経過」したか否かを判断する。この判断の結果、「１秒経過（秒の更新）」した場合にはステップＳ７７に進んで表示部４０にその旨を表示する処理を行って処理を終了する。またステップＳ７６の判断の結果、「１秒経過」していない場合にはステップＳ７７の表示処理を行うことなく処理を終了する。
【００３９】
本実施形態においては、この「録音タイマカウント処理」を、「５０ミリsec」のタイマ割り込みで処理するようにしている。
【００４０】
次に、図８のフローチャートを参照しながら「カウントダウン開始処理」を説明する。
「カウントダウン開始処理」が開始されると、先ず、ステップＳ８１において「タイマカウンタ」がクリアされる。次に、ステップＳ８２に進み、「タイマダウンフラグ」がセットされる。その後、ステップＳ８３において、その旨の表示処理が行われる。
【００４１】
前述のように構成された本実施形態の録音装置においては、特に、ピアノ演奏をきれいな音で簡単にＣＤ録音することができる。すなわち、グランドピアノやアップライトピアノにマイクロホーン１１を取り付けることによって、スタジオ録音に迫る音質で演奏をＣＤに簡単に録音できる。
【００４２】
特に、本実施形態においては、外部から入力される楽音信号を光ディスクに記録する際に、録音開始操作手段が操作されてから、前記光ディスクに録音を実際に開始するまでの間に任意の長さのタイムラグを設定できるようにするとともに、前記設定されたタイムラグの長さを表示するようにしたので、操作者は録音が開始されるタイミングに合わせて録音対象音を発生させることが可能となる。したがって、例えば、楽器演奏において休符から始まる楽音を良好に録音することができる。
【００４３】
本実施形態の録音装置１を用いてピアノ１００の演奏音を録音する場合には、マイクロホーン１１をピアノ１００に取り付ける。この場合は、マイクロホーン１１を、ピアノ本体の支柱（ピアノ裏側の強度部材）に取り付けて、ピアノ１００の響板に近い位置で集音するようにすれば、周囲の騒音に影響されることなく、クリアな音でＣＤ録音することができる。
【００４４】
また、前述した実施形態では詳細な説明を省略したが、公知の技術を採用して、演奏音に残響（リバーブ）を付加したり、好みの音質に調節して録音する機能を有しているので、自宅にいながらにしてホール演奏のような録音を実行したりして楽しむことができる。
【００４５】
さらに、ピアノの弾き語りの録音、他の楽器とのアンサンブル録音、一人での連弾練習やカラオケＣＤとの合奏など、ピアノを楽しむための幅広い用途に使用することもできるので、ピアノを弾く楽しさを大幅に向上させることができる。
【００４６】
なお、前述した実施形態においては、詳細な説明を省略したが、ラインイン、ラインアウト、フットスイッチ、ヘッドホン等の端子を備えているので、大きな汎用性を得ることが可能である。
【００４７】
（本発明に係る他の実施形態）
前述した本発明の実施形態における録音装置を構成する各手段、並びに録音方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４８】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４９】
なお、本発明は、前述した実施形態の機能を実現するソフトウェアのプログラム（実施形態では図４〜図８に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５１】
その場合、プログラムの機能を有していれば、オブジェクトコード、インタプリタにより実行されるプログラム、ＯＳに供給するスクリプトデータ等の形態であってもよい。
【００５２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００５３】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００５６】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５８】
【図１】本発明の実施形態を示し、録音装置の概観を示す斜視図である。
【図２】実施形態の録音装置を使用してグランドピアノの演奏音を録音している例を示す図である。
【図３】録音装置の機能構成の一例を示すブロック図である。
【図４】メイン処理の手順を説明するフローチャートである。
【図５】イベント処理の手順を説明するフローチャートである。
【図６】ＰＬＡＹスイッチ処理の手順を説明するフローチャートである。
【図７】録音開始タイマカウント処理の手順を説明するフローチャートである。
【図８】カウントダウン開始処理の手順を説明するフローチャートである。
【符号の説明】
【００５９】
１  録音装置
９  ピックアップ
９ａ  ＣＤ（光ディスク）
１０  記録部
１１  マイクロホーン
１２  増幅器
１３  ＡＧＣ
１４  エンコーダ
１５  バッファメモリ
２０  再生部
２１  デコーダ
２２  フィルタ
２３  増幅器
２４  スピーカ
３０  制御部
３１  ＲＯＭ
３２  マイクロコンピュータ（ＣＰＵ）
３３  タイマ
３４  ランダム・アクセス・メモリ（ＲＡＭ：Random Access Memory）
３５  水晶発振器
４０  表示部
４１  液晶表示パネル
４２  バックライト
４５  発光ダイオード表示部
４５ａ  発光ダイオード
５０  電源部
６０  操作部
６１  各種押しボタン
【図１】
2007328836.tif 000003
【図２】
2007328836.tif 000004
【図３】
2007328836.tif 000005
【図４】
2007328836.tif 000006
【図５】
2007328836.tif 000007
【図６】
2007328836.tif 000008
【図７】
2007328836.tif 000009
【図８】
2007328836.tif 000010